Podtech/llm-jp-corpus-v4-ja_patent huggingface dataset:
(57)【要約】      （修正有）【課題】苺にヘタ方向より剣先を刺し半回転させて、ヘタと芯を引き抜くことを特徴とした苺のヘタ取り器を提供する。【解決手段】にぎり柄３と、にぎり柄３の端部に設けられた剣先支持板２と、剣先支持板２に設けられたひねり剣先１と、からなることを特徴とする。【選択図】図２
0003191723.tif 000002
【実用新案登録請求の範囲】
【請求項１】
苺のヘタ方向より考案のひねり剣先（１）を刺し、半回転して引き抜き、ヘタと果芯が一緒に取れるのを特徴とした苺のヘタ取り器。
【考案の詳細な説明】
【技術分野】
【０００１】この考案は苺やミニトマト等のヘタと芯を、同時に抜き取る用具である。
【背景技術】
【０００２】従来は苺のヘタを、反り返し集め持って食べたり、爪でヘタを、つまんでちぎりとり、果肉を食べたり、ケーキやジャムにと使っていた。
【考案の概要】
【考案が解決しようとする課題】
【０００３】次のような欠点があった。
爪でヘタをつまみ取る場合果汁で手が汚れるし、芯まではどうしても取れない。
ケーキの飾りつけやジャム作りに、ヘタをとるのが非常に面倒であった。
苺の糖度はヘタ側より先端部分が甘いので、ヘタ側より食べれば、甘酸っぱさから甘さへと味が変化し、おいしく食べられるのに、ヘタを反り返し集め持って食べると甘い先端部分を、先に食べるので、ヘタ近くには果肉の食べ残しが出来てしまう。
ヘタが小さく苺本体にへばり付いている、品種の場合は、ヘタ取りが大変である。
本考案は、以上の欠点を解決するために考えたものである。
【課題を解決するための手段】
【０００４】苺の先端部分を持って剣先（１）をヘタ方向より刺し半回転し引き抜くとヘタと果芯が一緒にとれ、そのままヘタ方向より食べることが出来る。
本考案は、以上の構成、使用方法による苺のヘタ取り器である。
【考案の効果】
【０００５】（イ）家族でのイチゴ狩りや、苺ジャム作りの時、ケーキの飾りつけ、あるいは介護施設      等広く普及できる。
製造コストが廉価であり，小さく携行も出来るし、またノベルティー品としての利      用も考えられる。
（ロ）果芯も無く酸味より甘さへと、おいしく綺麗に食べられる。
（ハ）スピーディーな作業性とおいしさを提供できる。
【図面の簡単な説明】
【０００６】
【図１】  本考案の正面図である。
【図２】  本考案の右側面図である。
【図３】  本考案の平面図である。
【図４】  本考案の底面図である。
【図５】  本考案のＡＡ断面図である。
【考案を実施するための形態】
【０００７】以下、本考案の実施の形態を説明する。
にぎり柄（３）に、ひねった剣先（１）を取り付ける。苺のヘタ方向から剣先（１）を突き刺し半回転し、引き抜きヘタと果芯を一緒に取る事の出来る構造である。
本考案は、以上の構成よりなっている。
【実施例】
【０００８】本考案を使用することによりスピーディーな作業性と美味しさを味わうことが出来た。
練乳などを、つけて食べる場合も甘い先端でなくヘタ側につけた方がよりおいしい。
【産業上の利用可能性】
【０００９】家族でのイチゴ狩り、又ジャムづくりの時、ケーキ屋さんでの飾り付け、介護施設等広く普及できる。
【符号の説明】
【００１０】  １  ひねり剣先
２  剣先支持板
３  にぎり柄
４  支持板固定埋め込み棒
【図１】
0003191723.tif 000003
【図２】
0003191723.tif 000004
【図３】
0003191723.tif 000005
【図４】
0003191723.tif 000006
【図５】
0003191723.tif 000007
【手続補正書】
【提出日】平成26年4月16日(2014.4.16)
【手続補正１】
【補正対象書類名】実用新案登録請求の範囲
【補正対象項目名】全文
【補正方法】変更
【補正の内容】
【実用新案登録請求の範囲】
【請求項１】
にぎり柄（３）と、前記にぎり柄（３）の端部に設けられた剣先支持板（２）と、前記剣先支持板（２）に設けられたひねり剣先（１）と、からなる苺のヘタ取り器。
(57)【要約】      （修正有）【課題】経費も懸からず、収納も場所を取らず、利益にもつながる、蓋を回転することでコップに対し容易に閉まる蓋を提供する【解決手段】蓋の内週に沿って第１の溝７を設け、この溝に紙コップの上部の縁をはめ込む紙コップ用の蓋であって、前記縁は、紙コップの上部の強度保持の為、コップ上部の単体の物を、２重または３重に丸めたものであり、前記第１の溝は、前記蓋の上面と突起物６との間に作られ、前記突起物に、前記蓋の上面に対して３０度位の傾斜角度を付けた第２の溝８を設ける。【選択図】図２
0003191708.tif 000002
【実用新案登録請求の範囲】
【請求項１】
紙コップの内容物がこぼれないようにする為の、蓋であって、コップにシッカリ嵌まる蓋である。  
【請求項２】
蓋の内側に付ける突起物は、３０度位の傾斜角度を付けて、回転する事により締め易く、又剥がし難くする。
【考案の詳細な説明】
【技術分野】
【０００１】
本考案は、現在外食店で販売している。ホットコーヒー等の紙コップの蓋であるが、全てが上からの押し込み型である為、押し込みではなく回転式の捻じ込み式の蓋を作成した。
【背景技術】
【０００２】
上記に書いたように現在の蓋は、凡そ全てが上から押し込んでいるだけなので、店内で飲料する場合は店内で受け取るため、丁寧にはまってなくてもあまり問題は無いが、併設のドライブスルーで店員から車で受け取る場合は、完全にしっかり閉まっていない場合が多い。
【考案の概要】
【考案が解決しようとする課題】
【０００３】
蓋を押し込み式ではなく、回転式にして、蓋をコップに捻じ込み、回転することによりコップの蓋の内側につくった突起物と、紙コップの上部の紙片の縁んｐ強度を高めるため、丸めこんである縁を、蓋の側面の上部に作ってある溝に入れ込むことで、コップと蓋をしっかりとはめ込むことができる。
【課題を解決するための手段】
【０００４】
現在は、蓋を上から押し込んでいるので確実にはまっていると誤解しているが、それは店側が教育して店員に教え込んでいるため、店員が勝手に思い込んでいるだけで、お客様は車に乗っているため、後方の車のこともあり文句を言っている余裕はなく、危険を感じながら我慢しているのが現状である。
【考案の効果】
【０００５】
上記の物のようなコップの蓋があれば、製造もプレスで大量に出来、原料代も現在使用している物と同様の物で良く、全て現在と同様の物で良く、経費も今以上に余分にはかからない。
【図面の簡単な説明】
【０００６】
【図１】蓋を上部から見た図である。
【図２】蓋を横から見た図である。
【符号の説明】
【０００７】
１  蓋の外周
２  蓋の外周の内にあたりコップの外側の内に入るところ
３  蓋とコップをつなぎ、飲み物の入ったコップの縁の内側を支えるところ
４  蓋でコップの内側を支えるところ
５  蓋の内周でコップの縁の内側にあたるところ
６  コップの蓋を閉めた時のコップの上部にあたるところ
７  コップの溝が入るところ
８  ９から７へコップを入れ込む為の溝
９  蓋の最下部  
【図１】
0003191708.tif 000003
【図２】
0003191708.tif 000004
【手続補正書】
【提出日】平成26年2月13日(2014.2.13)
【手続補正１】
【補正対象書類名】実用新案登録請求の範囲
【補正対象項目名】全文
【補正方法】変更
【補正の内容】
【実用新案登録請求の範囲】
【請求項１】
蓋の内周に沿って溝を設け、この溝に紙コップの上部の蓋をはめ込む紙コップ用の蓋であって、前記溝は、紙コップの上部の強度保持の為、コップ上部の単体の物を、２重、３重に丸めたもので、前記蓋の上面と突起物との間に作られ、前記突起物をコップの最上部の溝に対して３０度位の傾斜角度を付けることにより、蓋を回転する事でコップに対し用意に閉まる蓋。
【手続補正書】
【提出日】平成26年4月4日(2014.4.4)
【手続補正１】
【補正対象書類名】実用新案登録請求の範囲
【補正対象項目名】全文
【補正方法】変更
【補正の内容】
【実用新案登録請求の範囲】
【請求項１】
蓋の内週に沿って第１の溝（７）を設け、この溝に紙コップの上部の縁をはめ込む紙コップ用の蓋であって、
前記縁は、紙コップの上部の強度保持の為、コップ上部の単体の物を、２重または３重に丸めたものであり、
前記第１の溝は、前記蓋の上面と突起物（６）との間に作られ、
前記突起物に、前記蓋の上面に対して３０度位の傾斜角度を付けた第２の溝（８）を設けることにより、蓋を回転する事でコップに対し容易に閉まる蓋。
(57)【要約】      （修正有）【課題】水研グラインダー本体に、切り刃の角度を一定に保つことのできるガイドを設け、プロの手研ぎと同じ正しい切れる刃を研ぎだすことが出来る水砥ぎ装置を提供する。【解決手段】円柱状の砥石３、その円柱の上面底面の中心をつらぬく軸である回転軸に対して所定の角度を成す面を持ちその一面の一端が砥石の直上に所定の空間をあけて位置するガイド４、円柱状の砥石３を回転軸をもって回転させるモーターを持つ水砥ぎ装置。包丁の切り刃の角度を一定に保つことのできるガイド４に包丁を合せ、砥石３がモーター８の動力で回転し、包丁を前後に動かすことにより、手軽に正しい切れる刃を造りだすことが出来る。【選択図】図１
0003191707.tif 000002
【実用新案登録請求の範囲】
【請求項１】
グラインダー本体に切り刃の角度を一定に保つためのガイドを設け砥石は、乾式ではなく水研ぎ専用の砥石を使用し、手研ぎで得られるプロと同じ正しい切れる刃を造りだすところを特徴とする水研グラインダー。
【考案の詳細な説明】
【技術分野】
【０００１】  本考案は、水砥石による手研ぎで得られる正しい切れる刃を研ぎだせる水研グラインダーに関するものである。
【背景技術】
【０００２】  調理で使用し刃先が磨耗して切れなくなった包丁の研ぎ直しは、プロに依頼するか、砥石を使用し慣れない手研ぎで研ぎ直しをしていた。
【考案の概要】
【考案が解決しようとする課題】
【０００３】  研ぎをプロに依頼するには、確かな研ぎ師に出さなくてはならないため、手間と時間、費用がかかる。さらに、一般の方が砥石を使用し、刃付をするということは大変な作業であり正しい切れる刃を造ることは、非常に難しい。従って、包丁の切り刃の角度を一定に保つことのできるガイドを設け、砥石は、特殊加工した水砥石を使用することにより、プロの手研ぎと同じ正しい切れる刃を造ることが可能となり、前述の欠点を解決しようとするものである。
【課題を解決するための手段】
【０００４】  本考案は、包丁の切り刃の角度を一定に保つガイドを設けたことで安定した切り刃を造ることができ、カバーゲージ内に水を入れ砥石は特殊加工した水砥石を使用し、回転する砥石の上で包丁をガイドに合せ前後に動かすことにより、手研ぎと同じ正しい切れる刃を造ることが可能となり、問題点を、解決している。
【図面の簡単な説明】
【０００５】
【図１】  本考案の水研グラインダーの本体を示す正面図である。
【図２】  本水研グラインダーの右側面図である。
【図３】  本水研グラインダーの左側面図である。
【符号の説明】
【０００６】  １  台座
２  カバーゲージ
３  本砥石
４  刃物ガイド
５  プーリー（大）
６  ベルト
７  プーリー（小）
８  モーター
【図１】
0003191707.tif 000003
【図２】
0003191707.tif 000004
【図３】
0003191707.tif 000005
【手続補正書】
【提出日】平成26年3月11日(2014.3.11)
【手続補正１】
【補正対象書類名】実用新案登録請求の範囲
【補正対象項目名】全文
【補正方法】変更
【補正の内容】
【実用新案登録請求の範囲】
【請求項１】
円柱状の砥石、その円柱の上面底面の中心をつらぬく軸である回転軸に対して所定の角度を成す面を持ちその一面の一端が砥石の直上に所定の空間をあけて位置するガイド、円柱状の砥石を回転軸をもって回転させるモーターを持つ水砥ぎ装置。
(57)【要約】      （修正有）【課題】耐火性に優れ、軽量であり、しかもデザイン性に富む船舶用ベッドを提供する。【解決手段】船舶用二段ベッド１は、寝台３０を上段３１と下段３２で形成すると共に、上段３１のサイドフレーム１０と梯子２０の両側支柱２１，２１を一本の管部材で連続的に形成する。船舶用二段ベッド１は、寝台３０をアルミニウム合金で形成する。【選択図】図１
0003191784.tif 000002
【実用新案登録請求の範囲】
【請求項１】
寝台（３０）として上段（３１）と下段（３２）からなり、上段（３１）のサイドフレーム（１０）と梯子（２０）の両側支柱（２１，２１）を一本の管部材で連続的に形成した船舶用二段ベッド。
【請求項２】
寝台（３０）をアルミニウム合金で形成した請求項１記載の船舶用二段ベッド。
【考案の詳細な説明】
【技術分野】
【０００１】
本考案は船舶用ベッドに関する 。
【背景技術】
【０００２】
船舶内には、乗員または乗客用に居室（キャビン）が設けられている。通常、これらの居室には、就寝用のベッドが備え付けられている。
【０００３】
特許文献１には、小型船舶の寝台を改良し、少ないスペースでテレビを見ることができ、且つ読書も可能にした構成が記載されている。
【０００４】
また、特許文献２には、キャビンにおいて各ベッドを使用する者の目線をずらすことを可能とするために、各ベッドを壁面に対して所定角度だけ傾斜させて配置した構成が記載されている。
【先行技術文献】
【特許文献】
【０００５】
【特許文献１】特開平１０−２６４８８７号公報
【特許文献２】特開平６−１３４００４号公報
【考案の概要】
【考案が解決しようとする課題】
【０００６】
船舶においては海難事故防止のため、装備品が耐火性を有するものであることが求められる。ところが、キャビンに装備される二段ベッドなどは木製のものが多く、必ずしも耐火性に優れているとはいえない。
【０００７】
また、重量を減らすため軽量化が求められるが、木製ベッドでは簡易な構造に形成しても軽量化が難しいという難点がある。
【０００８】
更には、木製ベッドの場合、簡易化の要請からデザイン性に富む形状としづらく、壁面に二段に床部材が掛け渡されたに過ぎないものが多い。
【０００９】
本考案は上記木製ベッドの難点を解消すべく、耐火性に優れ、軽量であり、しかもデザイン性に富む船舶用ベッドを提供することを目的とする。
【課題を解決するための手段】
【００１０】
上記の目的を達成する本考案の構成は次の通りである。
【００１１】
（１）  請求項１に記載の船舶用二段ベッドは、寝台を上段と下段で形成すると共に、上段のサイドフレームと梯子の両側支柱を一本の管部材で連続的に形成して構成した。
【００１２】
（２）  請求項２に記載の船舶用二段ベッドは、請求項１記載の考案において、寝台をアルミニウム合金で形成した。
【考案の効果】
【００１３】
上記のように構成される本考案が、如何に作用して課題を解決するかを図面を参照しながら概説する。
【００１４】
本考案にかかる船舶用二段ベッドは寝台部分がアルミニウム合金で形成されている。それゆえ軽量化が可能となる。また、アルミニウム合金は難燃性が高く耐火性に優れたものとなる。
【００１５】
また、図１に示すように本考案にかかる二段ベッド１は就寝者が落下することを防止するためのサイドフレーム１０と梯子２０の両側支柱２１とを一本の管部材で連続的に形成してある。これは従来存しない斬新的な形状であり、デザイン性に優れたものとなるのである。
【００１６】
かように本考案によれば耐火性に優れ、軽量であり、しかもデザイン性に富む船舶用ベッドを提供することが可能となるのである。
【図面の簡単な説明】
【００１７】
【図１】本考案の正面図
【図２】同、右側面図
【図３】同、平面図
【図４】寝台の斜視図
【図５】Ａ−Ａ線拡大断面図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１９】
図１は本考案にかかる二段ベッド１の正面図である。寝台３０は左右の両側壁４０，４０にボルトによって固定されている。図４に示されるように、寝台３０は上部が開放された箱状体であり、内部にマットレス３３を装入して利用されるものである。
【００２０】
また、底部３４には、マットレス３３を敷いた際の通気性を確保するため凸辺３５・・が複数設けられている。
【００２１】
寝台３０はアルミニウム合金により形成されるものである。具体的には、ベッドとしての強度を確保可能とするため、アルミニウムと銅、マンガン、ケイ素、マグネシウム、亜鉛、ニッケルなどとの任意の素材との合金を利用している。
【００２２】
更には図５に示すように、軽量化及び強度を図るために寝台３０の側壁３６の上下端縁３６ａ，３６ｂは円弧状に曲げ、内部を空洞化してある。
【００２３】
寝台３０のうち上段３１には就寝者の落下を防止するためのサイドフレーム１０が設けてある。
【００２４】
図１に示すように、サイドフレーム１０は上段３１においては略コ字状に表れ、その一方端部は下方に伸びて寝台３０の下段３２にいたり、ボルトで固定されている。
【００２５】
サイドフレーム１０の他方端部もまた下方に伸び、下段３２近傍で略９０度屈曲し、更に略９０度屈曲して上方に伸びることで梯子２０が形成される。
【００２６】
梯子２０を構成する両側支柱２１，２１間にわたり複数の踏桟２３・・が設けてある。
【００２７】
サイドフレーム１０及び梯子２０の両側支柱２１，２１は一本の管部材で形成してある。該管部材は押出し焼入れ成型品を利用することで優れた強度を実現してある。
【符号の説明】
【００２８】
１・・二段ベッド
１０・・サイドフレーム
２０・・梯子      ２１・・両側支柱
３０・・寝台      ３１・・上段      ３２・・下段
４０・・側壁
【図１】
0003191784.tif 000003
【図２】
0003191784.tif 000004
【図３】
0003191784.tif 000005
【図４】
0003191784.tif 000006
【図５】
0003191784.tif 000007
(57)【要約】      （修正有）【課題】外部から力が加わった時にレンズが割れる、幼児がぶつけて怪我をするなどの危険を防止できるルーペを提供する。【解決手段】凸レンズ１と鏡筒２を柔軟性のある材料を用いて、一体で形成する。鏡筒部分の端面にマグネットを埋め込んで、ホワイトボードや冷蔵庫側面の鉄板に貼り付けられるようにしてもよい。【選択図】図２
0003191739.tif 000002
【実用新案登録請求の範囲】
【請求項１】
柔軟性のある凸レンズと柔軟性のある鏡筒で構成し、外力が加わっても、変形して破損することなく、また、子供の顔などに落とすことがあっても、怪我を未然に防止出来るルーペ。
【請求項２】
請求項１の鏡筒部分の端面にマグネットを埋め込んで、ホワイトボードや冷蔵庫側面の鉄板に貼り付けられるようにしたルーペ。
【考案の詳細な説明】
【技術分野】
【０００１】
【背景技術】
【０００２】本考案は、拡大鏡等のルーペに関する。
従来は、硝子や硬質プラスチック製の凸レンズを、金属や硬質プラスチック製の鏡筒で保持する形で構成されていた。
【考案の概要】
【考案が解決しようとする課題】
【０００３】従来のレンズでは、外力が加わった時に破損したり、また、子供の寝顔の上に落とした時などに、怪我をする危険があった。
【課題を解決するための手段】
【０００４】透明度の高いウレタン材等を使って、凸レンズと鏡筒を一体成型する。
【考案の効果】
【０００５】ルーペに外力が加わった時には、変形するのみで、破損することもなく、また、子供の寝顔の上に落とした時でも、怪我をすることもなくなる。
【図面の簡単な説明】
【０００６】ルーペの構成
【図１】従来のルーペの構成
【図２】本提案のルーペの構成
【考案を実施するための形態】
【０００７】レンズと鏡筒を柔軟性のある材料を用いて、凸レンズ１と鏡筒２を一体で形成する。
【符号の説明】
【０００８】図面の中の符号は、下記の構成物を表す
１、凸レンズ
２、鏡筒
３、マグネット
【図１】
0003191739.tif 000003
【図２】
0003191739.tif 000004
(57)【要約】      （修正有）【課題】バドミントンのネットが簡単・安全に張れ、支柱の傷つきも防止できるゴム製の留め具を提供する。【解決手段】中に支柱を通すドーナツ型の形状を有し、外側にバドミントンネットのヒモを掛けるためのフックが一体化されたゴム製の留め具であり、ゴムと支柱との間に生じる摩擦を利用してバドミントンネットを固定する。【選択図】図１
0003191716.tif 000002
【実用新案登録請求の範囲】
【請求項１】
バドミントンのネットを張る時に使用する留め具です。
ゴムと支柱の摩擦を利用して簡単・安全にバドミントンのネットを張ることが出来ます。
【考案の詳細な説明】
公序良俗違反のため、不掲載とする。
【図１】
0003191716.tif 000003
【手続補正書】
【提出日】平成26年4月16日(2014.4.16)
【手続補正１】
【補正対象書類名】実用新案登録請求の範囲
【補正対象項目名】全文
【補正方法】変更
【補正の内容】
【実用新案登録請求の範囲】
【請求項１】
ドーナツ型の形状を有するゴム製の留め具。
【手続補正２】
【補正対象書類名】明細書
【補正対象項目名】全文
【補正方法】変更
【補正の内容】
【考案の詳細な説明】
【技術分野】
【０００１】バドミントンのネットが簡単・安全に張れるゴム製の留め具に関する新案です。
【背景技術】
【０００２】従来の留め具の使用方法は以下の通りでした。留め具に関しては写真を添付。
▲１▼  ネット上部に通してあるヒモの端に輪を作る。
▲２▼  鉄の輪に付いているフックにヒモの輪を掛ける。
▲３▼  鉄の輪を両手で引き下ろし、引き下ろしたままの状態でネジを締めて固定し、ネットを張ります。【０００３】  従来の留め具には以下のような欠点がありました。
●留めネジを締めるたびに支柱にキズがつきます。
●支柱は留めネジによるキズで表面の塗装がはげてサビだらけになります。
●サビだらけの支柱は滑りやすくなり次第に留めネジが効きにくくなります。
●ネジの締めが弱いと鉄の輪が勢いよく跳ね上がります。
●鉄の輪が跳ね上がり手や顔に当たり怪我をすることがあります。
●留めネジが効きにくくなるのでネジを強く締めるようになり、ネジ山が壊れます。【０００４】従来の留め具の欠点を解決するためにゴム製の輪を使用することを考えました。
鉄の輪の代わりにゴム製の輪を使用します。留めネジの代わりに支柱とゴムとの間に生じる摩擦を利用します。【０００５】ゴム製の輪を支柱に通し、ネット上部に通してあるヒモの輪を掛け、両手で引き下ろします。手を放すとゴムの輪のフックの部分が引き上げられゴムの輪は斜めになり、ゴムの輪の内側と支柱の間に摩擦が生じゴムの輪は留まります。【０００６】市販されているバドミントンの支柱の大部分は財団法人日本バドミントン協会の認定を受けています。支柱の直径は４０ｍｍに統一されています。試行錯誤の結果、ゴムの輪の内径を４１ｍｍにするとうまく留まりました。内径が大き過ぎるとスリップしてゴムの輪は留まりません。小さ過ぎると摩擦が大きすぎて引き下ろすことが出来ません。【０００７】このゴム製の輪は急に跳ね上がることもなく、子供たちにとっても安全です。支柱も傷つくことなくいつまでも綺麗なままですので今までのように手にサビが付くこともありません。【０００８】現在使用されているほとんど全てのバドミントンの支柱に後付けが出来ます。取り付け工具も必要ありません。ただ支柱に通すだけです。関係施設は壊れた支柱の買い替えの必要がなく、大幅な経費節約になります。
【考案の概要】
【考案が解決しようとする課題】
【０００９】以下のような従来の留め具の欠点を解決すること。
●支柱にネジによるキズがつきます。支柱はキズだらけサビだらけになります。
●ネジの締めが弱いと鉄の輪が急に跳ね上がり子供たちにとっても危険です。
●ネジ山がすぐ壊れます。
【課題を解決するための手段】
【００１０】摩擦を利用します。ゴム製の留め具の内側と支柱との間に生じる摩擦を利用してバドミントンネットを簡単に張ることが出来ます。
【考案の効果】  以下のような効果があります。
●取り扱い方法が簡単です。両手で引き下ろして離すだけです。
●支柱を傷付けません。支柱についたサビで手が汚れることがありません。
●急に跳ね上がることが無く子供たちにも安全です。
●現在使用されているほとんどのバドミントンの支柱に後付けが出来るので関係施設にとっては大幅な経費節約になります。支柱に通すだけで工具は不要です。
●高品質のゴムで作っていますので永く使用出来ます。
【図面の簡単な説明】
【００１１】
【図１】上の図：平面図・下の図：側面図
(57)【要約】      （修正有）【課題】災害時などの緊急性を要する場合に簡単に設営出来るように構造を簡素化した簡単設営テントを提供する。【解決手段】一本若しくは数本の支柱１−１の頂点から複数の張力の掛けられるベルト４−１を接地面２に杭５で支柱とともに固定した上で、テントに付けた紐でベルトから吊るす事でテントの形状を出す。【選択図】図１
0003191720.tif 000002
【実用新案登録請求の範囲】
【請求項１】
一本若しくは数本の支柱の頂点から複数の張力の掛けられるベルト等を接地面に杭などで支柱を固定した上で、テントに付けた紐等でベルト等から吊るす事でテントの形状を出す事を特徴とする簡単設営テント。
【考案の詳細な説明】
【技術分野】
【０００１】
本考案は災害時に簡単に設営出来る小規模テントに関するものである。
【背景技術】
【０００２】
近年、災害時に於ける緊急避難用テントとして集会用テントが最も多く使用されているが、もともと集会用テントは運動会、展示会などの各種催し物や売店、休憩所、慶弔儀式の受付所といった集会用として広範囲に使用されている。
【０００３】
集会用テントの設営は前記の用途で使用する時は予め設営に関して計画性があり設営に関しては経験者、最近ではイベント業者が行い数人で簡単に設営が出来る。
【０００４】
集会用テントの構造には柱が綱の張力によって建つ張綱式と骨組みがスチール等の管材の組み合せで自立する組立式があり、最近では殆ど組立式の構造が主流になっていて、テントの部材として、天幕、側面幕、組立式パイプ、ロープ、杭などがあり災害時に緊急避難用テントとして使用されている集会用テントの大きさも面積が3坪から6坪程度のものが多く使用されているが、どちらにしても一張り分の部材の種類が多く扱いが不慣れな人には設営には困難があった。
【考案の概要】
【考案が解決しようとする課題】
【０００５】
本考案は、災害時などの緊急性を要する場合に簡単に設営出来るように構造を簡素化して安全、簡易、迅速に設営出来る事を課題とする。
【課題を解決するための手段】
【０００６】
以上の課題を解決するために、請求事項1の考案に係る簡単設営テントは一本若しくは数本の支柱の頂点から複数の張力の掛けられるベルト等を接地面に杭などで支柱を固定し上で、テントに付けた紐等でベルト等から吊るすとこでテントの形状を出す事を特徴とする。
【考案の効果】
【０００７】
本考案によれば、テントを設営するにあたり安全、簡単、迅速に設営でき、多くのテントの設営が短時間で可能になり避難者の迅速な収容が可能になった。
【図面の簡単な説明】
【０００８】
【図１】図１は本考案の一実施例を示す簡単設営テントの支柱、ベルト、杭等の部材名称と位置関係の説明図。
【図２】図２は本考案の簡単設営テントの実施例を示す図である。
【考案を実施するための形態】
【０００９】
以下、本考案に係わる簡単設営テントの設営方法の好適な設営手順について図に基づいて説明する。
【００１０】
図1は簡単設営テントの設営方法は接地面２に垂直に仮止めして立てた適当な長さの支柱１―１上部先端に付いているリング状の金具１−３に、端部にカラビナの付いたベルト４−１を引っ掛けて支柱下部から四方に適当に離れた接地面に打ち込んだ杭5に固定して、ベルトに装着している張力を掛けられるハンドル４−３を操作してベルトを巻き取ることで、ベルトに張力をかけ自立させた支柱から傾斜に張ったベルト等４−１に、ベルトに予め通してあるDかん７にテント稜線に付いている紐等８でテントを固定させテントの形状を作る。
【００１１】
図２は緊急避難テントの設営状態図。
簡単に設営出来るテントに於いて、テントは斜めに張った複数本のベルトに予め通してある複数のDかん７等に、テント稜線に丈夫に縫い付けた紐８などで数箇所をDかん７に結びテントがベルトに固定される事でテントの形状を作る。さらに支柱を垂直に立てる前に横にしてある支柱上部先端部にテントの頂点にあるハトメに支柱の先を通しておき、ネジ式になっているリングを固定しあとに複数本のカラビナ付きのベルトをセットしておくと作業がより安全、簡単に迅速に設営出来る。
本考案に関わる緊急避難テント設営方法は説明を行った形状に限定されない。
本考案に関わる緊急避難テント設営方法は設営するテントの大きさ、形状により構造計算、強度計算され、支柱１−１の数量、張力の掛けられるベルト等４−１の数量、杭５の数量、位置が決まり、より効果的な設営方法が選定され、大きさは特に限定されないが利用目的からすると従来の集会用テントの３坪から６坪程度の規模が好ましい。
【００１２】
本考案の各部材は、使用目的からテントは防水性を有し丈夫な生地で、支柱等は重厚な金属等が望ましいが強化プラスチック等を使っても構わない。
【００１３】
本考案で使用するベルト等は張力を掛けられるハンドルが付いた器具で、巻き取ることで張力をかけるが、ベルトの緩み、誤った操作を考えて、一定の張力が得られたらハンドルを脱着出来る構造の物が望ましい。
【産業上の利用可能性】
【００１４】
以上、説明したように本考案によれば緊急避難テント設営に際して設営場所、設営数、テントの形状等大幅に選択肢が増え、さらに設営時間の短縮、作業の安全性が見込まれ、より迅速な避難が可能になりしいては経済効果も見込まれる。
【符号の説明】
【００１５】
１−１  支柱
１−２  支柱下部についたプレート
２  接地面
３  プレート用杭
１−３  支柱上部にネジで固定されたリング等
４−１  張力が掛けられる器具が付いたベルト
４−２  ベルトの両端に付いたカラビナ
４−３  張力が掛けられるベルトに付いた巻き取るハンドル
５  ベルト用杭
６  テント
７  Dかん
８  テント稜線に固定された紐等
【図１】
0003191720.tif 000003
【図２】
0003191720.tif 000004
【手続補正書】
【提出日】平成26年5月8日(2014.5.8)
【手続補正１】
【補正対象書類名】実用新案登録請求の範囲
【補正対象項目名】全文
【補正方法】変更
【補正の内容】
【実用新案登録請求の範囲】
【請求項１】
一本若しくは数本の支柱と、前記支柱の上部先端と前記接地面の間を傾斜に張るためのベルトと、前期ベルトから吊るすための紐が付いたテントからなる簡単設営テントであって、前記一本若しくは数本の支柱の頂点から複数の張力の掛けられる前記ベルトを接地面に杭で固定した上で、テントに付けた紐でベルトから吊るす事でテントの形状を出す事を特徴とする簡単設営テント
(57)【要約】      （修正有）【課題】筆記可能な薄地のプラスチックシートを用いて容易に組み立てられ、かつ十分な強度を持つ物品組み立て用プラスチックシートを提供する。【解決手段】筆記可能な薄地のプラスチックシートであって、トムソン型を使用して打ち抜いた複数の部品が差し込み部と、この差し込み部ａ１，ｂ１，ｃ１に差し込み組み合わせる切込み部ａ２，ｂ２，ｃ２を備えることで、それらの部品をシートから外して組み合わせたときに、糊やテープ等の接着道具を用いること無く簡単に物品を作製できる事を特徴とする。【選択図】図２
0003191715.tif 000002
【実用新案登録請求の範囲】
【請求項１】
筆記可能な薄地のプラスチックシートであって、トムソン型を使用して物品を構成する複数の部品が打ち抜かれおり、該複数の部品を組み合わせることで、糊やテープ等の接着道具を用いること無く簡単に物品を作製できる事を特徴とする物品組み立て用プラスチックシート。
【考案の詳細な説明】
【考案の詳細な説明】
【技術分野】
【０００１】  本発明は、鉛筆やクレヨンで筆記できる、即ち、塗り絵ができると共に糊やテープ等の接着道具を用いる事無く簡単に家や飛行機等の物品を作製できる物品組み立て用プラスチックシートに関する。
【背景技術】
【０００２】  従来の紙やプラスチックシートで作製していた組み立て物品は、組み立てるときに固定用の糊やテープ、シートからパーツを分離する為のはさみやカッター等の道具が必要だった。又、紙製の物品は水に弱く、プラスチック製の物品には鉛筆やクレヨンでは筆記できないので意匠を施すことができなかった。
【考案が解決しようとする課題】
【０００３】  プラスチックシートを使用することで強度が大きく水に対しても強くなる。更に、筆記可能なプラスチックシートを使用することで、塗り絵として使用することができ、物品に製造者が自分の好みの意匠を付与することができる。
【課題を解決するための手段】
【０００４】  トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
プラスチックシートとしては、オレフィン系樹脂シートが好ましく、エンボス加工、マット加工等により、表面に微細な凹凸を形成することにより、筆記可能になる。
【考案を実施するための形態】
【０００５】  本考案の物品組み立てプラスチックシートの一例として、飛行機組み立て用プラスチックシートを説明する。
図１は本考案の飛行機組み立て用プラスチックシート１の平面図である。飛行機組み立てプラスチックシート１は未延伸ポリプロピレンシートよりなり、表面にエンボス加工が施されて筆記可能になされている。従って、飛行機の各部品に鉛筆、クレヨン等の筆記用具で好みの色を付けることができる。
飛行機用組み立て用プラスチックシート１には、フック構造を持った差し込み（ａ１）（ｂ１）（ｃ１）これと対になる切込み（ａ２）（ｂ２（ｃ２）を備えた胴体（２）が大部分をトムソンで打ち抜かれ部分的にシートに固定された状態で備わっている。
図２は組み立て飛行機に備わる胴体（２）の斜視図である。トムソン型で折筋加工、打ち抜き加工された胴体（２）を組み立て、胴体（２）の両端に対になるように設けられた複数の差し込み（ａ１）（ｂ１）（ｃ１）と切込み（ａ２）（ｂ２（ｃ２）を組み合わせる事で、糊やテープ等の接着道具がなくても強度を保つ事ができる。
【図面の簡単な説明】
【０００８】
【図１】本考案の一例を示す飛行機組み立て用プラスチックシート平面図
【図２】図１の組み立て飛行機胴体部分の斜視図
【符号の説明】
【０００９】  １    組み立て飛行機
２    胴体
ａ１  差し込み１
ｂ１  差し込み２
ｃ１  差し込み３
ａ２  切り込み１
ｂ２  切り込み２
ｃ２  切り込み３
【図１】
0003191715.tif 000003
【図２】
0003191715.tif 000004
【手続補正書】
【提出日】平成26年4月21日(2014.4.21)
【手続補正１】
【補正対象書類名】実用新案登録請求の範囲
【補正対象項目名】全文
【補正方法】変更
【補正の内容】
【実用新案登録請求の範囲】
【請求項１】
筆記可能な薄地のプラスチックシートであって、トムソン型を使用して打ち抜いた複数の部品が差し込み部と、この差し込み部に差し込み組み合わせる切込み部を備えることで、それらの部品をシートから外して組み合わせたときに、糊やテープ等の接着道具を用いること無く簡単に物品を作製できる事を特徴とする物品組み立て用プラスチックシート。
(57)【要約】      （修正有）【課題】堆積物と１層分の造形物を挟み込み高さを制御しながら２次加熱するため、１層分の高さの制御が容易になる積層造形システムを提供する。【解決手段】ガスバーナー３を用いて、材料を加熱し、３Ｄの物体を構築するシステムである。供給素材４は、造形トレイ２の上で、加熱溶解され並べられる。これは、目的とする造形物のスライスされた１層分の形状であり、最終的に堆積天板１に下から張り付けられ、目的形状分の高さまで順次積層される。材料供給ヘッド３は上部ＸＹ移動機構２によりＸ−Ｙ平面状を移動する。ガスバーナー４は前記材料供給ヘッド３の真下へくるように下部ＸＹ移動機構５により移動される。【選択図】図２
0003191714.tif 000002
【実用新案登録請求の範囲】
【請求項１】
３次元物体を造形する積層造形法であって、約２５０℃以上の温度を発生する１つまたは複数のガスバーナーを配置し、前記ガスバーナーの上部に１層分の造形を行うためのトレイと、積層材料を供給する積層ヘッドを持ち、前記トレイ上部に造形物を複数堆積するための天板を配置し、前記ガスバーナーと積層ヘッドをそれぞれに駆動するＸ−Ｙテーブル機構を持ち、前記天板を上下する駆動機構を有する積層造形システム。
【考案の詳細な説明】
【技術分野】
【０００１】  本発明は、デジタル積層造形にて、３次元の物体を造形するシステムおよび方法に関する。
【背景技術】
【０００２】  溶解積層造形は、材料を加熱したのち、溶解物を堆積して温度の低下により固化する現象を利用して、コンピュータによって作られた３次元モデルから、３次元の物体を構築する技術である。【０００３】  従来は材料を供給するヘッドを電熱ヒータにて加熱して、ヘッドを３次元モデルに従ってＸ‐Ｙ位置に移動し溶解した材料を下方に落下し堆積させるが、本方式ではガスバーナーをヘッド下部の材料を造形するトレイよりさらに下部に配置し、下方からヘッドと供給材料を加熱する。
なお、前記ガスバーナーは前記ヘッド垂直下に来るよう位置を制御する。【０００４】  １層分堆積した後、前記ヘッド位置を後退させ、堆積物を載せた天板を降下し、堆積物に接触させ、再び前記バーナーにて１層分の造形物と前記堆積物を２次加熱し接着する。【０００５】  １層ずつの積層を繰り返し、造形目標物の高さまで堆積して造形物を完成させる。
【考案の概要】
【考案が解決しようとする課題】
【０００６】  従来の押し出し機構では、ヘッド部分が小さく材料を加熱する手段が限られる。【０００７】  従来は電熱ヒータがおもな加熱手段であり、ヒータ機構をヘッド部に置くため小さなものしか設置できず、加熱温度に制約がある。
【課題を解決するための手段】
【０００８】  加熱するための機構をヘッドの下部に配置し、造形物とそれを乗せるトレイをヘッドと加熱手段の間に配置するので、ヘッド下部の部分全体を利用して、大きな加熱機構が配置できる。【０００９】  加熱手段にガスバーナーを用いることで、大きな熱量が確保できる。【００１０】  従来の積層法では加熱した材料を直接堆積していたため積み重ねる時の、厚さの精度が出難かったが、本方式は堆積物と１層分の造形物を挟み込み高さを制御しながら２次加熱するため、１層分の高さの制御が容易になる。【００１１】  従来の積層法では、１層ごとに積み重ねる時、各層の間に隙間が空くことがあったが、本方式では１層ごとに積み重ねる度、堆積物を被せ圧縮する形となるため、隙間が生じずらい。
【考案の効果】
【００１２】  一般家庭に普及しているガスを加熱手段としているため、そのためのガスボンベ等は簡単に入手可能で、安全機構の技術も充実している。
【図面の簡単な説明】
【００１３】
【図１】ガスバーナーと材料供給ヘッドの位置関係を示した図である。
【図２】ガスバーナーと材料供給ヘッドの移動機構を示した図である。
【図３】造形トレイと材料供給ヘッドの位置関係を示した図である。
【図４】造形トレイと堆積天板を示した図である。
【００１４】［詳細な説明］
図１は、本装置の右側面図であり、ガスバーナー（３）を用いて、材料を加熱し、３Ｄの物体を構築するシステムである。供給素材（４）は、造形トレイ（２）の上で、加熱溶解され並べられる。これは、目的とする造形物のスライスされた１層分の形状であり、最終的に堆積天板（１）に下から張り付けられ、目的形状分の高さまで順次積層される。
図２は、本装置の斜視図であり、ガスバーナー（４）と材料供給ヘッド（３）の移動機構を示す。図のように材料供給ヘッド（３）は上部ＸＹ移動機構（２）によりＸ−Ｙ平面状を移動する。ガスバーナー（４）は前記材料供給ヘッド（３）の真下へくるように下部ＸＹ移動機構（５）により移動される。
図３は、本装置の前面図であり、造形トレイ（２）と材料供給ヘッド（１）の位置関係を示す。材料は材料供給ヘッド（１）により造形トレイ（２）の上に押し出され直下のガスバーナー（３）により加熱溶解される。図４は、ふたたび斜視図であるが、材料供給ヘッドが後ろに後退して、造形トレイ（２）の上に作り出された造形物の上に堆積天板（１）が降下し、堆積物を作る直前の状態を示している。
【図１】
0003191714.tif 000003
【図２】
0003191714.tif 000004
【図３】
0003191714.tif 000005
【図４】
0003191714.tif 000006
【手続補正書】
【提出日】平成26年4月10日(2014.4.10)
【手続補正１】
【補正対象書類名】実用新案登録請求の範囲
【補正対象項目名】請求項１
【補正方法】変更
【補正の内容】
【請求項１】
３次元物体を造形する積層造形システムであって、約２５０℃以上の温度を発生する１つまたは複数のガスバーナーを配置し、前記ガスバーナーの上部に１層分の造形を行うためのトレイと、積層材料を供給する積層ヘッドを持ち、前記トレイ上部に造形物を複数堆積するための天板を配置し、前記ガスバーナーと積層ヘッドを別々に駆動する２つのＸ−Ｙテーブル機構を持ち、前記天板を上下する駆動機構を有する積層造形システム。
(57)【要約】      （修正有）【課題】スマートフォン、タブレット、携帯電話などの画面を見ているとき、省電力の機能のために、すぐに画面が暗くなってロックされたりするために、長時間維持しにくい画面を、省電力の設定を変えることなく安心して閲覧できる携帯電話又はパソコン端末を提供する。【解決手段】タッチパネルである場合と、タッチパネルでないスクリーンである場合の携帯電話、スマートフォン、タブレット、パソコンにおいて、省電力の設定を変えることなく、ワンタッチのボタンで画面と照明が維持され、さらにボタンを押すことによって解除に切り替えられるハード上のボタンであり、画面の照明と画面が維持されているかに応じて点灯状態が変化するランプが備えられる。【選択図】図１
0003191719.tif 000002
【実用新案登録請求の範囲】
【請求項１】
タッチパネルのステータスバーに、ワンタッチで画面維持のアイコンを備えたスマートフォン、タブレット、パソコンであって、省電力の機能を一時的にストップし、画面が長時間閲覧できるようになっており、再びアイコンにタッチして作動を止めることができる。
【請求項２】
タッチパネルでないスクリーンの携帯電話、パソコン端末に、ハード上のボタンを装着したものであって、省電力機能の設定を変えることなく、ワンタッチで画面の照明が維持され、それを解除するには再びボタンを押し、作動しているかどうかも、ボタンのランプでわかりやすくなった、携帯電話、パソコン。
【考案の詳細な説明】
【技術分野】
【０００１】  本考案は、携帯などのスクリーン、又はタッチパネルのスクリーンを長時間暗くなることなく、又は省電力設定を妨げることなく一時的に長時間閲覧できるアイコン、もしくはボタンを装着した携帯電話、スマートフォン、タブレット、パソコンである。
【背景技術】
【０００２】  従来の携帯電話、スマートフォン、タブレット、パソコンは、画面を見ていても、省電力設定のために短時間に自動消灯していました。そのため、数分を過ぎると消えるため、長時間同じ画面を見たい時にロック解除やなんらかのボタンを押して画面を回復するか、画面維持のため、何回も画面をタッチするなど、不必要な操作が行われていた。
【先行技術文献】
【特許文献】
【０００３】
【特許文献１】特開２０１３−１９１３８０
【考案の概要】
【考案者が解決しようとする課題】
【０００４】  従来の携帯電話、スマートフォン、タブレット、及びパソコンでは、画面は設定した一定時間になると、バックライトが消灯、もしくはスクリーンセーバーなどの画面になり省電力になるが、特に充電の必要な携帯電話、スマートフォン、タブレットでは、画面維持できる時間を短めに設定することが多いために、すぐにロックがかかったり、消灯してしまうので、長く見たい時に、つけなおしているうち、タッチしたくない部分に誤タッチするなど、不便です。
【０００５】  バックライトの維持時間の設定はできますが、そうすると、短く見るのでよい画面の時、省電力にならず、できれば、長く見たいところだけ、画面を長く維持したいと思います。
【課題を解決するための手段】
【０００６】  上記の問題を解決するために、タッチパネルの場合、画面上でほとんど変化なくあるステータスバーにワンタッチで画面の照明が維持できるスイッチといえるアイコンを装着する。
【０００７】  維持するのは照明なので、他画面に移動しても、暗くなることなく、タッチパネルの場合はアイコン、それ以外のスクリーンの場合はハードのボタンを再びタッチしてもとに戻さない限り、照明は維持される。
【０００８】  照明が維持されている状態がわかりよくするため、アイコンやハードボタンは、作動していない時は緑、作動している時は赤などに変化するようにする。
【考案の効果】
【０００９】  画面の内容を長く見たい、詳しく見たい等の時、ワンタッチでスイッチをいれると心配なく画面の状態を維持でき、終わった時にスイッチを再度押すと解除でき、省電力できる状態に戻すことができる。
【図面の簡単な説明】
【００１０】
【図１】本考案のアイコンの位置をスマートフォンのステータスバーに置いた場合の図である。
【図２】本考案のアイコンをタッチパネルのタブレットのステータスバー上に置いた場合の図である
【図３】本考案のボタンを、タッチパネルでないスクリーンの、ハード上に置いた場合の図である。
【考案を実施するための形態】
【００１１】  タッチパネルの機械の場合、ステータスバーにアイコンを置いてボタンのように押すとバックライトが維持され、もう一度押すと、バックライトが省電力可能の通常の状態に戻る。タッチパネルでない機械の場合、ハード上にボタンを置いて、バックライト維持の状態か、通常の省電力可能状態に戻る。
【符号の説明】
【００１２】  １  スマートフォン本体
２  スマートフォンのステータスバーに本考案のアイコンを置く図
３  タブレット、パソコン本体
４  タブレット、パソコンでタッチパネルの機械のステータスバーに置いた図
５  タッチパネルでない携帯電話
６  タッチパネルでない携帯電話で、ハード上に本考案のボタンを置く図
【図１】
0003191719.tif 000003
【図２】
0003191719.tif 000004
【図３】
0003191719.tif 000005
【手続補正書】
【提出日】平成26年4月17日(2014.4.17)
【手続補正１】
【補正対象書類名】実用新案登録請求の範囲
【補正対象項目名】全文
【補正方法】変更
【補正の内容】
【実用新案登録請求の範囲】
【請求項１】
タッチパネルである場合と、タッチパネルでないスクリーンである場合の携帯電話、スマートフォン、タブレット、パソコンであって、省電力の設定を変えることなく、ワンタッチのボタンで画面と照明が維持され、さらにボタンを押すことによって解除に切り替えられるハード上のボタンであり、画面の照明と画面が維持されているかに応じて点灯状態が変化するランプが備えられた携帯電話又はパソコン端末。
(57)【要約】      （修正有）【課題】リウマチ性疾患等の罹患又は脳血管障害の後遺症等による手指の硬縮、末梢筋力の低下を来す方や高齢者等が自分で更衣着脱をできるようにする自助型介護用パンツを提供する。【解決手段】自助型介護用パンツ１は、パンツ本体２のウエスト部３両側面に綿、化学繊維、ポリウレタン繊維、ゴム等の逆ポケット構成部材４を斜めの切断面で縫合し、逆ポケット指掛け開口部５を備える。これにより、下着としてのファッション性を損なうことなく、着衣時におけるずり上げを容易にした機能を有することで、女性の多いリウマチ性疾患等の罹患者による手指の硬縮や、脳血管性障害等又は高齢化による末梢筋力低下を来す方が、自分で自立的に更衣着脱が可能になる。【選択図】図１
0003191687.tif 000002
【実用新案登録請求の範囲】
【請求項１】
パンツ本体のウエスト部から両側面部に逆ポケット構成部材を縫合し、解放された指掛け開口部を備える自助型介護用パンツ。
【考案の詳細な説明】
【技術分野】
【０００１】
本考案はリウマチ性疾患又は脳血管障害の後遺症等により手指に硬縮がある方や筋力低下を来す症状を有する方、高齢者等の更衣を容易にする自助型介護用パンツに関する。
【背景技術】
【０００２】
介護用のパンツとして介護者の更衣・着脱援助を容易にするパンツ類は従来から 様々なタイプが創案、販売されている。またおむつにおいてはウエスト部の周囲に周方向の複数個所を本体部材に固定した長尺部材を設け、下方に開いた逆ポケットを形成することにより指でずり上げることを可能にした考案は為されている。従来の介護用パンツはデザイン性、ファッション性よりも機能性を重視したものが多く、本考案においては
リウマチ性疾患等の罹患者における女性患者の割合が非常に高いことを鑑み、デザイン性、ファッション性と機能性を両立したパンツの考案がより自助及び自立に寄与するものと思われる。 
【先行技術文献】
【特許文献】
【０００３】
【特許文献１】特開平10-337300号公報
【考案の概要】
【考案が解決しようとする課題】
【０００４】
特許文献１に記載のものは、おむつ本体に折り曲げた長尺部材をヒートシール等により接合し、指を入れる逆ポケットを形成するものであるが、ヒートシール等により接合するため、長尺部材の幅もある程度の広さを要し、肌着素材に用いた場合には生地が強張ってしまうことが想定され、又、指を入れる部分が逆ポケット状になっているため、ずり下げに関しての機能はほとんど有しておらず、一般に市販されている肌着と同様の生地、素材を縫合して指掛け部を設けることにより、脱衣に関してはウエスト部両側に両手甲部を挿入することでずり下げが可能となる伸縮性を有し、リウマチ性疾患等の罹患による手指の硬縮、末梢筋力の低下を来す方が自分で更衣着脱ができるようになる自助型介護用パンツを提供する。
【課題を解決するための手段】
【０００５】
本考案の自助型介護用パンツは、パンツ本体のウエスト部から両側面部にかけて逆ポケットを構成する部材として綿、化学繊維、ポリウレタン繊維、ゴム等を縫合し、解放された指掛け開口部を形成する逆ポケットを備える。逆ポケットは縦４ｃｍ〜６ｃｍ、横７ｃｍ〜９ｃｍとし、切断面を斜めに有することでデザイン性を高めるとともに臥床時等において逆ポケットを形成する構成部材の凹凸感を低減させる効果が期待でき、デザイン性及びファッション性と機能性、快適性を両立することを特徴とする。
【０００６】
本考案の自助型介護用パンツは、リウマチ性疾患等の症状の進行又は高齢化の進展に応じ、又は介護者の負担軽減に資する為に背面部にも同様の逆ポケット構成部材を縫合し指掛け開口部を備えることや、両側面に縫合した逆ポケット構成部材を横方向に伸長し縫合することで背面にも同様の機能を有することができる。
【考案の効果】
【０００７】
更衣着脱時におけるずり上げを容易にし、リウマチ性疾患等の罹患による手指の硬縮、末梢筋力の低下を来す方が自分で更衣着脱ができるようになる。
【０００８】
本体に生地を重ねるように縫合することにより、リウマチ性疾患等の症状の進行に合わせて開口部を深くし拳まで入れられるように調整することや指が掛けられる範囲を任意に広げることも可能となり、斜め上向きにずり上げることにも対応できるようになる。
【０００９】
リウマチ性疾患の罹患率が圧倒的に女性に多いことを鑑み、基本的には市販のパンツと同様のデザイン性とファッション性を併せ持つことができるため、介護用パンツ特有の機能重視の外見とは一線を画し、女性の尊厳の保持にも効果があると考えられる。
【００１０】
パンツ本体の両側面に部分的に逆ポケット構成部材を縫合して指掛け開口部を形成することで、臥床時等に指掛け開口部を備えることの凹凸感を低減する。
【００１１】
将来的にリウマチ性疾患等の病態や症状が進行し、自身での着脱行為が難しくなった場合には、指掛け開口部を介護者が利用することにより、介護者の負担軽減を可能にすることが出来る。
【図面の簡単な説明】
【００１２】
【図１】本実施形態に係る自助型介護用パンツの正面図である。
【図２】本実施形態に係る自助型介護用パンツの後正面図である。
【図３】本実施形態に係る自助型介護用パンツの右側面図である。
【図４】本実施形態に係る他の自立型介護用パンツである。
【考案を実施するための形態】
【００１３】
本実施形態に係る自助型介護用パンツ１は、パンツ本体２のウエスト部３から両側面    に逆ポケット構成部材４を縫合し、指掛け開口部５を備える。
【００１４】
パンツ本体２は市販のパンツ、ショーツ、パンツ型紙おむつでも良い。
【００１５】
逆ポケット構成部材４は布、紙に縫合できるものであれば良い。
【００１６】
逆ポケット構成部材はパンツ本体２の前面から両側面にかけて縫合されることで指掛け開口部５を形成し解放される。
【００１７】
パンツ本体２の背面はリウマチ性疾患等の症状の進行又は高齢化の進展に応じて介護者用の指掛け開口部として逆ポケット構成部材４を縫合することや、パンツ本体２の両側面に縫合した逆ポケット構成部材をパンツ本体２の背面部に架かるよう横方向に伸長して縫合することも可能となる。
【符号の説明】
【００１８】
１      自助型介護用パンツ
２      パンツ本体
３      ウエスト部
４      逆ポケット構成部材
５      指掛け開口部
６      縫製部
【図１】
0003191687.tif 000003
【図２】
0003191687.tif 000004
【図３】
0003191687.tif 000005
【図４】
0003191687.tif 000006